(57)【要約】【課題】  配線作業性、機能性及び意匠性の向上を図ることができる机天板等におけるコード取出用切欠きのカバー装置を得る。【解決手段】  天板３の端縁部のコード取出用切欠き６に嵌合保持される、上下に貫通すると共に端縁側を開放してなる枠体９と、枠体９により回動可能に支持され、閉状態にて、枠体９の上部開口を覆う上蓋部１２ａ及び端縁部開口を覆う端蓋部１２ｂからなる側面視略Ｌ字状の蓋部を有する蓋体１１とを備え、蓋体１１の回動により、枠体９の上部開口及び端縁部開口を開放可能とした。また、蓋体１１を下方へスライド可能に支持すると共に、蓋体１１を折り畳み可能として、蓋体１１の端蓋部１２ｂを折り畳んで下方へ落とし込んだ全開状態、及び、蓋体１１の端蓋部１２ｂを折り畳まずに下方へ落とし込んだ半開状態の収納状態を選択可能とした。【選択図】        図２
2006149735.tif 000002
【特許請求の範囲】
【請求項１】
机天板等の端縁部に設けられたコード取出用切欠きに嵌合保持される、少なくとも上側及び端縁側を開放してなる枠体と、
該枠体により回動可能に支持され、閉状態にて、前記枠体の上部開口を覆う上蓋部及び前記枠体の端縁部開口を覆う端蓋部からなる側面視略Ｌ字状の蓋部を有する蓋体とを備え、
該蓋体の回動により、前記枠体の上部開口及び端縁部開口を開放可能としてなることを特徴とする机天板等におけるコード取出用切欠きのカバー装置。
【請求項２】
前記上蓋部及び端蓋部を別体として該蓋部間を軸支し、該蓋部間に組み込んだ弾性体による付勢力により前記側面視略Ｌ字状の蓋部を構成すると共に、該端蓋部が該上蓋部に重なる方向に該弾性体による付勢力に抗して回動可能としてなる請求項１記載の机天板等におけるコード取出用切欠きのカバー装置。
【請求項３】
前記蓋体の上蓋部から垂下する回動支持部を、前記枠体の対向側壁に形成された軸受孔に嵌合するピボット体に連結すると共に、該ピボット体に、前記蓋体の上蓋部の上面が前記枠体の上面と略直交する開状態において、該蓋体を下方へスライド可能に支持するスライド支持部を形成し、該開状態において該蓋体の全部又は一部を前記枠体の上面より下側に収納可能としてなる請求項１記載の机天板等におけるコード取出用切欠きのカバー装置。
【請求項４】
前記上蓋部及び端蓋部を別体として該蓋部間を軸支すると共に、該蓋部間に組み込んだ弾性体による付勢力により前記側面視略Ｌ字状の蓋部を構成すると共に、該端蓋部が該上蓋部に重なるように該弾性体による付勢力に抗して折り畳み可能としてなり、前記蓋体の上蓋部から垂下する回動支持部を、前記枠体の対向側壁に形成された軸受孔に嵌合するピボット体に連結すると共に、該ピボット体に、前記蓋体の上蓋部の上面が前記枠体の上面と略直交する開状態において、該蓋体を下方へスライド可能に支持するスライド支持部を形成し、該開状態において、該蓋体の端蓋部を折り畳んで該蓋体を下方へ落とし込んだ全開状態、及び、該蓋体の端蓋部を折り畳まずに該蓋体を下方へ落とし込んだ半開状態の収納状態を選択可能としてなる請求項１記載の机天板等におけるコード取出用切欠きのカバー装置。
【発明の詳細な説明】
【技術分野】
【０００１】
本発明は、ＯＡ用机、テーブル等の机天板等において、該天板上で使用するＯＡ機器や電話機等へ各種コード類を配線するために天板に設けられたコード取出用切欠きへ装着されるカバー装置に関するものである。
【背景技術】
【０００２】
従来の机天板等におけるコード取出用切欠きのカバー装置として、該切欠きに凹形の案内枠を嵌着し、該案内枠の後部に閉塞板を着脱可能に取り付けてなるもの（特許文献１参照。）、該切欠きに、前壁、後壁及び左右の側壁を枠体状に組み付け、該枠体状の壁の上部開口を覆う蓋を前壁又は後壁の上縁に樹脂ヒンジを介して連結してなるもの（特許文献２参照。）等がある。
【０００３】
前記コード取出用切欠きのカバー装置ではないが、机天板等におけるコード取出用孔のカバー装置として、該コード取出用孔に嵌合保持される上下に貫通した枠体と、前記枠体の上部開口を開閉自在に被覆する蓋体とよりなり、前記枠体の側壁に軸受孔を形成し、該軸受孔に連通し軸受孔の径よりも小巾として上方に開口した挿入溝及び前記軸受孔から下方へ連続する案内溝を設けるとともに、前記蓋体には前記枠体の軸受孔へ挿着可能であり且つ該蓋体を略立起させた状態で前記挿入溝及び案内溝へ挿通可能とした断面偏平状の突軸を設けて構成してなるもの（特許文献３参照。）等がある。
【０００４】
【特許文献１】実公昭６１−１７７７号公報（第１−３図）
【特許文献２】特許第２６７９６５２号公報（図１−３）
【特許文献３】実公平７−５０８３９号公報（第１−９図）
【発明の開示】
【発明が解決しようとする課題】
【０００５】
特許文献１の机天板等におけるコード取出用切欠きのカバー装置の構成では、前記案内枠の後部に前記閉塞板を取り付けた状態では該切欠きの後端縁の開口（端縁部開口）を覆うことができ、該閉塞板を取り外した状態では該切欠きの後端縁を開放することができるものであるが、該切欠きの上部開口を覆う蓋がないため、該切欠きを通した配線を行わない場合においても、該上部開口が開放されたままとなり、該開口から机上に置いた小物が落下しやすいと共に、外観がすっきりとした印象とならないため、意匠性の向上を図ることができないという問題点がある。
【０００６】
また、特許文献２の机天板等におけるコード取出用切欠きのカバー装置の構成では、該切欠きの上部開口を覆う蓋は樹脂ヒンジにより開閉可能であるため開閉が容易であるが、該蓋を開いても該切欠きの後端縁の開口（端縁部開口）を開放することができず、該後端縁の開口を開放するためには後壁を取り外す必要があるため、配線の作業性が悪いという問題点がある。
【０００７】
さらに、特許文献３の机天板等におけるコード取出用孔のカバー装置の構成では、机天板等に設けられたコード取出用孔を開閉する蓋体の開閉動作が簡単で、且つ該蓋体がコード取出時に天板上で邪魔になったり、また、該蓋体を紛失したりすることなく簡易に収納可能となるものであるが、前記コード取出用切欠きに用いた場合には該切欠きの後端縁の開口（端縁部開口）を開放することができず、配線の作業性が悪いという問題点がある。
【０００８】
さらにまた、以上のような従来の机天板等におけるコード取出用切欠き又はコード取出用孔のカバー装置の構成では、蓋体を開いた開状態が一つの形態のみであり、該開状態の形態を配線量等に応じて選択することができないため、使用形態に合わせることができず、機能性及び意匠性の向上を図ることができないという問題点がある。
【０００９】
本発明は、前記のような課題を解決するためになされたものであり、配線作業性、機能性及び意匠性の向上を図ることができる机天板等におけるコード取出用切欠きのカバー装置を得ることを目的とする。
【課題を解決するための手段】
【００１０】
本発明に係る机天板等におけるコード取出用切欠きのカバー装置は、前記課題解決のために、机天板等の端縁部に設けられたコード取出用切欠きに嵌合保持される、少なくとも上側及び端縁側を開放してなる枠体と、該枠体により回動可能に支持され、閉状態にて、前記枠体の上部開口を覆う上蓋部及び前記枠体の端縁部開口を覆う端蓋部からなる側面視略Ｌ字状の蓋部を有する蓋体とを備え、該蓋体の回動により、前記枠体の上部開口及び端縁部開口を開放可能としてなるものである。
【００１１】
ここで、前記上蓋部及び端蓋部を別体として該蓋部間を軸支し、該蓋部間に組み込んだ弾性体による付勢力により前記側面視略Ｌ字状の蓋部を構成すると共に、該端蓋部が該上蓋部に重なる方向に該弾性体による付勢力に抗して回動可能としてなると好ましい。
【００１２】
また、前記蓋体の上蓋部から垂下する回動支持部を、前記枠体の対向側壁に形成された軸受孔に嵌合するピボット体に連結すると共に、該ピボット体に、前記蓋体の上蓋部の上面が前記枠体の上面と略直交する開状態において、該蓋体を下方へスライド可能に支持するスライド支持部を形成し、該開状態において該蓋体の全部又は一部を前記枠体の上面より下側に収納可能としてなると好ましい。
【００１３】
さらに、前記上蓋部及び端蓋部を別体として該蓋部間を軸支すると共に、該蓋部間に組み込んだ弾性体による付勢力により前記側面視略Ｌ字状の蓋部を構成すると共に、該端蓋部が該上蓋部に重なるように該弾性体による付勢力に抗して折り畳み可能としてなり、前記蓋体の上蓋部から垂下する回動支持部を、前記枠体の対向側壁に形成された軸受孔に嵌合するピボット体に連結すると共に、該ピボット体に、前記蓋体の上蓋部の上面が前記枠体の上面と略直交する開状態において、該蓋体を下方へスライド可能に支持するスライド支持部を形成し、該開状態において、該蓋体の端蓋部を折り畳んで該蓋体を下方へ落とし込んだ全開状態、及び、該蓋体の端蓋部を折り畳まずに該蓋体を下方へ落とし込んだ半開状態の収納状態を選択可能としてなると好ましい。
【発明の効果】
【００１４】
本発明に係る机天板等におけるコード取出用切欠きのカバー装置によれば、天板等の端縁部に設けられたコード取出用切欠きに嵌合保持される、少なくとも上側及び端縁側を開放してなる枠体と、該枠体により回動可能に支持され、閉状態にて、前記枠体の上部開口を覆う上蓋部及び前記枠体の端縁部開口を覆う端蓋部からなる側面視略Ｌ字状の蓋部を有する蓋体とを備え、該蓋体の回動により、前記枠体の上部開口及び端縁部開口を開放可能としてなるので、該側面視略Ｌ字状の蓋部を有する蓋体を開くという一つの動作により、前記枠体の上部開口及び端縁部開口の両開口を開放することができるため、配線の作業性を向上することができる。また、簡素な構成であること及び該側面視略Ｌ字状の蓋部がフラットな見えがかりであること等により、該カバー装置が装着された机の意匠性を向上させることができる。したがって、該カバー装置の付加価値を高めることができる。
【００１５】
また、前記上蓋部及び端蓋部を別体として該蓋部間を軸支し、該蓋部間に組み込んだ弾性体による付勢力により前記側面視略Ｌ字状の蓋部を構成すると共に、該端蓋部が該上蓋部に重なる方向に該弾性体による付勢力に抗して回動可能としてなると、天板を対向配置してカバー装置同士が近接又は当接する場合等においても、前記側面視略Ｌ字状の蓋部を有する蓋体の開閉が可能となるため、隣接する机間の配線の引き回しが容易となる。
【００１６】
さらに、前記蓋体の上蓋部から垂下する回動支持部を、前記枠体の対向側壁に形成された軸受孔に嵌合するピボット体に連結すると共に、該ピボット体に、前記蓋体の上蓋部の上面が前記枠体の上面と略直交する開状態において、該蓋体を下方へスライド可能に支持するスライド支持部を形成し、該開状態において該蓋体の全部又は一部を前記枠体の上面より下側に収納可能としてなると、配線時に前記蓋体が前記天板上で邪魔になることがないため、配線作業性を向上することができると共に、該蓋体の紛失を防止することができる。
【００１７】
さらにまた、前記上蓋部及び端蓋部を別体として該蓋部間を軸支すると共に、該蓋部間に組み込んだ弾性体による付勢力により前記側面視略Ｌ字状の蓋部を構成すると共に、該端蓋部が該上蓋部に重なるように該弾性体による付勢力に抗して折り畳み可能としてなり、前記蓋体の上蓋部から垂下する回動支持部を、前記枠体の対向側壁に形成された軸受孔に嵌合するピボット体に連結すると共に、該ピボット体に、前記蓋体の上蓋部の上面が前記枠体の上面と略直交する開状態において、該蓋体を下方へスライド可能に支持するスライド支持部を形成し、該開状態において、該蓋体の端蓋部を折り畳んで該蓋体を下方へ落とし込んだ全開状態、及び、該蓋体の端蓋部を折り畳まずに該蓋体を下方へ落とし込んだ半開状態の収納状態を選択可能としてなると、配線量等に応じて前記半開状態又は全開状態の前記蓋体の収納状態を選択し、使用形態に合わせた蓋体の収納状態とすることが容易にできるため、前記コード取出用切欠きまわりの配線をよりすっきりとした印象とすることができ、機能性及び意匠性の向上を図ることができる。
【発明を実施するための最良の形態】
【００１８】
次に、本発明の実施の形態を添付図面に基づき詳細に説明するが、本発明は、添付図面に示された形態に限定されず特許請求の範囲に記載の要件を満たす実施形態の全てを含むものである。本発明に係る机天板等におけるコード取出用切欠きのカバー装置は、該コード取出用切欠きから大容量のコード類を取出す場合、大きなコネクタ又はプラグ等を挿通させる場合、又は、このコード取出用切欠き内にコンセントを設けてプラグを差し込むような場合には、該カバー装置の蓋体を開いて、該配線作業を容易に行うことができるものである。また、机天板等のコード取出用孔又はコード取出用切欠きを通して配線を行わない場合には、該カバー装置の蓋体を閉じることにより、すっきりとした外観、よりフラットな印象により意匠性を向上することができるものである。なお、以下において、椅子に座って机に向かった状態で、手前側を前、その反対側を後、左側を左、右側を右とする。
【００１９】
図１〜図７は、本発明の実施の形態に係る机天板等におけるコード取出用切欠きのカバー装置の説明図であり、図１は本発明の実施の形態に係るコード取出用切欠きのカバー装置を装着した机の例を示す上方から見た斜視図、図２は本発明の実施の形態に係るコード取出用切欠きのカバー装置の分解斜視図、図３は同じく要部分解斜視図である。また、図４は、ピボット体の凸部と枠体の側壁外面に形成した周溝との関係を示す説明図であり、図４（ａ）は側面図、図４（ｂ）は周溝を展開して示す断面図である。さらに、図５〜図７は本発明の実施の形態に係る机天板等におけるコード取出用切欠きのカバー装置の縦断側面図である。そして、図５（ａ）は蓋体を閉じた閉状態、図５（ｂ）は蓋体を若干開いた状態、図６（ａ）は蓋体を約９０°開いた開状態、図６（ｂ）は蓋体を下方へスライドさせた収納状態、図７は蓋体を折り畳んで下方へスライドさせた収納状態を示している。
【００２０】
図１において、机１は、支脚４，４及び該支脚４，４により支持された天板３により構成されており、天板３後端縁の左右には天板３の左右方向に沿って横長に開口したコード取出用切欠き６，６が形成され、該コード取出用切欠き６，６にはカバー装置７，７が装着されている。このように、机１は天板４のコード取出用切欠き６，６がカバー装置７，７によって覆われたすっきりとした外観となっており、意匠性が向上している。そして、天板３の下側の空間には図示しない配線ダクト等を設けて配線用の空間を設けており、この配線用の空間又は机１の後面側からコード取出用切欠き６，６を通して、コード類を天板３上へ取り出し、天板３上で使用する図示しないＯＡ機器等への配線が可能となっている。
【００２１】
図２に示すように、例えばＡＢＳ、ポリアセタール、ポリプロピレン又はポリエチレンテレフタレート等の樹脂の射出成形により製作される枠体９は、上下に貫通すると共に端縁側を開放してなり、コード取出用切欠き６に嵌合しうる形状とされ、その上端部には前及び左右方向に張り出す張出片９ａが設けられていると共に、下端部には前方に張り出す張出片９ｄ，９ｄ（図５〜図７参照。）及び左右方向に張り出す張出片９ｅ，９ｅが設けられている。したがって、枠体９の張出片９ａの下面を天板３の上面に当接させ、張出片９ｄ，９ｄをコード取出用切欠き６の前下部の係合凹部６ａ，６ａに係合させ、張出片９ｅ，９ｅをコード取出用切欠き６の左右下部の係合凹部６ｂ，６ｂに係合させれば、枠体９は天板３に容易に固定することができる。なお、枠体９は樹脂製であり比較的変形しやすいため、このような天板３への取付けを容易に行うことができる。ここで、例えば枠体９の左右を天板３の切欠き６の左右にタッカー止め等により固定すれば、より強固に枠体９を天板３に固定することができる。また、枠体９は、必ずしも上下に貫通する形状である必要はなく、例えば上下寸法を大きくした場合等においては、下面の全部又は一部に底板を設ける構成を採用してもよい。このような底板を設けた場合においては、該底板上に余剰配線等を収納することができる。
【００２２】
電源用プラグ差込口１０２及び電話線用プラグ差込口１０３を備えたコンセントボックス１０１には、左右に張り出す取付片１０４，１０４が設けられているため、該取付片１０４，１０４を枠体９の載置部１０５，１０５に載置すれば、枠体９内にコンセントボックス１０１を容易に保持することができる。この状態で、取付片１０４，１０４と載置部１０５，１０５とをボルト又はセルフタッピングねじ等により締結することにより、コンセントボックス１０１は枠体９に固定される。このようなコンセントボックス１０１を使用することにより、机上で使用するＯＡ機器及び電話機等への電源供給、電話線の接続等を容易に行うことができる。なお、コンセントボックス１０１は着脱できるため、コンセントボックス１０１を使用しない場合は、天板３の下側の前記配線用の空間から前記のとおりコード取出用孔５，５を通してコード類を天板３上へ取り出して天板３上で使用するＯＡ機器等へ配線することができる。
【００２３】
図２及び図３に示すように、ピボット体２１は、例えばＡＢＳ、ポリアセタール、ポリプロピレン又はポリエチレンテレフタレート等の樹脂の射出成形により製作される外側ピボット体２２及び内側ピボット体２３により構成される。枠体９の対向側壁１５，１５に形成された軸受孔１６，１６には、外側ピボット体２２の支軸部２４が枠体９の外側から嵌入される。そして、該支軸部２４の先端部が側壁１５の内面１５ａから突出すると共に、該先端部の爪２４ｃ，２４ｃが側壁１５の内面１５ａに係止する。したがって、外側ピボット体２２は枠体９の軸受孔１６まわりに回動可能に保持される。このように、外側ピボット体２２の支軸部２４には爪２４ｃ，２４ｃが外方に突出しているが、該支軸部２４は孔が穿設されていると共に、スリット２４ａ，２４ａが形成されているため、該支軸部２４を弾性変形させて、前記軸受孔１６への嵌入を容易に行うことができる。
【００２４】
枠体９の側壁１５に嵌合した外側ピボット体２２に対して、該外側ピボット体２２の支軸部２４の孔から、内側ピボット体２３の軸部２７が嵌入される。そして、該軸部２７の先端の爪２７ｃ，２７ｃが外側ピボット体２２の支軸部２４の段部２４ｄ，２４ｄに係止する。このように、内側ピボット体２３の軸部２７には爪２７ｃ，２７ｃが外方に突出しているが、該軸部２７は孔が穿設されていると共に、スリット２７ａ，２７ａが形成されているため、該軸部２７を弾性変形させて、前記外側ピボット体２２の支軸部２４の孔への嵌入を容易に行うことができる。
【００２５】
また、前記のとおり内側ピボット体２３の軸部２７の爪２７ｃ，２７ｃが外側ピボット体２２の支軸部２４の段部２４ｄ，２４ｄと係合すると共に、内側ピボット体２３の軸部２７の根元側に形成された凸部２７ｂ・・・が外側ピボット体２２の支軸部２４のスリット２４ａ，２４ａ及び凹部２４ｂ，２４ｂに係合するため、外側ピボット体２２及び内側ピボット体２３は、強固に一体化する。したがって、外側ピボット体２２の支軸部２４から張り出すフランジ部２５及び内側ピボット体２３の軸部２７から張り出すフランジ部２８が、それぞれ枠体９の側壁１５の外面１５ｂ及び内面１５ａに当接した状態（当接面２５ａ，２８ａ）で、ピボット体２１は、安定して枠体９の軸受孔１６まわりに回動可能となる。
【００２６】
図２に示すように、蓋体１１には、閉状態にて、枠体９の上部開口を覆い該枠体９の上面９ｂと略面一となる上蓋部１２ａ、及び、枠体９の端縁部開口を覆い該枠体９の端縁側垂直面９ｃ，９ｃと略面一となる端蓋部１２ｂからなる側面視略Ｌ字状の蓋部、並びに、該上蓋部１２ａから垂下する回動支持部１３，１３が設けられており、該回動支持部１３，１３にはスライド溝１３ａ，１３ａが形成されている。したがって、該回動支持部１３，１３が内側ピボット体２３，２３に設けられたスライド支持部２９，２９に外嵌され、蓋体１１はピボット体２１，２１と連結される。
【００２７】
よって、蓋体１１は、ピボット体２１，２１と共に軸受孔１６，１６まわりに回動して枠体９の上部開口及び端縁部開口を開閉すると共に、ピボット体２１，２１に対して、スライド支持部２９，２９をガイドとして、スライドすることができる。なお、内側ピボット体２３のスライド支持部２９は、蓋体１１の上面が枠体９の上面９ｂと略直交する開状態において、該蓋体１１の回動支持部１３を下方へスライド可能に支持する方向に設けられている。
【００２８】
上蓋部１２ａの開放端縁１９の左右端には垂下片３９，３９が形成されており、該垂下片の内側には図示しない孔が形成されている。また、端蓋部１２ｂの上蓋部１２ａ側端縁には支軸部４０，４１が設けられ、該支軸部４０，４１から左右に突出する突軸が形成されている。したがって、該端蓋部１２ｂの突軸を該上蓋部１２ａの孔に嵌合させることにより、端蓋部１２ｂは上蓋部１２ａに軸支されて回動可能となる。
【００２９】
支軸４０に設けられたばね支軸４０ａにねじりコイルばね１２ｃのコイル部を外嵌して、上蓋部１２ａ及び端蓋部１２ｂ間に組み込めば、該ねじりコイルばね１２ｃによる付勢力により、上蓋部１２ａの開放端縁１９の下面４２と端蓋部１２ｂの上面４３とが当接して端蓋部１２ｂの後方への回動が規制された状態となり、該蓋部は側面視略Ｌ字状となる（図５〜図７参照。）。なお、ばね支軸４０ａを支軸部４０，４１に設けて、２個のねじりコイルばね１２ｃ，１２ｃを組み込んでもよい。また、ねじりコイルばね１２ｃ以外にも平板状のねじりばね、トーションバー等の弾性体を用いることもできる。
【００３０】
このように構成されてなる側面視略Ｌ字状の蓋部を有する蓋体１１は、端蓋部１２ｂが上蓋部１２ａに重なる方向、例えば図５の閉状態における前方には、該弾性体による付勢力に抗して支軸４０まわりに回動可能となっている。したがって、机１の天板３を対向配置してカバー装置７，７同士が近接又は当接する場合等においても、蓋体１１の開閉が可能となるため、隣接する机間の配線の引き回し等も容易となる。
【００３１】
図３に示すように、外側ピボット体２２のフランジ部２５には、枠体９の側壁１５の外面１５ｂ側に突出する凸部２６，２６が１８０°等分で形成されている。そして、該フランジ部２５にはスリット２５ｂ・・・が形成されているため、該フランジ部２５は弾性変形しやすくなっている。したがって、前記のとおり、外側ピボット体２２と内側ピボット体２３とを組み合わせて一体化した状態で、外側ピボット体２２のフランジ部２５の当接面２５ａが枠体９の側壁１５の外面１５ｂに当接し、内側ピボット体２３のフランジ部２８の当接面２８ａが側壁１５の内面１５ａに当接した状態から、該フランジ部２５の凸部２６，２６が形成された部分は、ピボット体２１と枠体９との摺動面の垂直方向に弾性変形した状態となる。
【００３２】
よって、この状態では、該フランジ部２５の凸部２６，２６が形成された部分が弾性変形して枠体９の側壁１５の外面１５ｂに向かう方向の弾性付勢力が働くため、ピボット体２１，２１に連結される蓋体１１は、該蓋体１１の開閉動作の任意位置で保持可能となる。したがって、該蓋体１１を滑らかに開閉することができるようになるため、該開閉動作時における操作感を向上することができる。このような簡素な構成により、弾性付勢力を作用させて蓋体１１の回動を抑制する回動抑制手段を構成することができるため、コスト低減化及び高信頼性化を図ることができる。また、このような弾性付勢力は、枠体９に対するピボット体２１の回動（蓋体１１の開閉）を通じて一定とすることもできるし、後述するように、前記側壁１５の外面１５ｂの前記凸部２６の摺動面に適宜の深さの周溝１７等を形成すれば操作感を容易に変えることができるため、操作性及び機能性を向上することができる。なお、このように蓋体１１を開閉動作の任意位置で保持可能としても、ピボット体２１は樹脂製であり比較的変形しやすいため、ピボット体２１を枠体９に対して容易に回動させることができるため、操作性が悪化することはない。
【００３３】
このようにピボット体２１と枠体９間に弾性付勢力を作用させる構成は、内側ピボット体２３のフランジ部２８に枠体９の側壁１５の内面１５ａ側に突出する凸部を形成することによってもよい。また、側壁１５側（外面１５ｂ又は内面１５ａ）に凸部を形成してもよい。さらに、樹脂製の外側ピボット体２２のフランジ部２５を弾性変形させ、該フランジ部２５の復元力により弾性付勢力を作用させる構成ではなく、ピボット体２１と枠体９との間に、例えば、ばね定数を比較的小さく設定してなる、スリットが入った樹脂製又は金属製の皿ばね（皿形の歯付座金のようなもの）を組み込む構成、又は、ダイヤフラム状若しくはベローズ状等の変形しやすい形状の樹脂等の成形品を組み込む構成等により、前記弾性付勢力を作用させてもよい。
【００３４】
以上のようにピボット体（外側ピボット体２２と内側ピボット体２３とにより構成されるピボット体２１に限定されない。）と枠体９との間に、弾性付勢力を作用させて蓋体１１の回動を抑制する回動抑制手段である弾性体（前記外側ピボット体２２のフランジ部２５のように、ピボット体２１と一体のものであってもよい。）を備えることにより、蓋体１１を開閉動作の任意位置で保持可能とすることができ、該蓋体１１を滑らかに開閉することができるため、該開閉動作時における操作感を向上することができる。
【００３５】
また、このような蓋体１１の回動を抑制する回動抑制手段である弾性体をピボット体と枠体９との間に設けるのではなく、蓋体とピボット体とを、例えば角状の凹凸嵌合等により、相対的に回動はしないが左右方向には相対的に移動可能に連結し、該蓋体とピボット体との間に設けた弾性体によりピボット体を枠体方向に付勢する構成としてもよい。このような構成によっても、ピボット体の枠体に対する回動が抑制されるため、蓋体１１の回動を抑制する回動抑制手段を構成することができる。
【００３６】
さらに、ピボット体２１と枠体９との間に、例えば、オイルダンパー、空気ダンパー又は摩擦ダンパー等の運動エネルギーを散逸させて回動を抑制する回動抑制手段であるダンパーを組み込む構成等を採用することもでき、このような構成によっても蓋体１１を開閉動作の任意位置で保持可能とすることができ、該蓋体１１を滑らかに開閉することができるため、該開閉動作時における操作感を向上することができる。
【００３７】
図４は、ピボット体の凸部と枠体の側壁外面に形成した周溝との関係を示す説明図であり、図４（ａ）は側面図、図４（ｂ）は周溝を展開して示す断面図である。また、図５及び図６はカバー装置の縦断側面図であり、図５（ａ）は蓋体を閉じた閉状態、図５（ｂ）は蓋体を若干開いた状態、図６（ａ）は蓋体を約９０°開いた開状態、図６（ｂ）は蓋体を下方へスライドさせた収納状態を示している。図４（ｂ）において、側壁１５の外面１５ｂに形成した周溝１７の深さは、該周溝１７内を移動するピボット体２１の凸部２６の位置Ａ、位置Ｂ及び位置Ｅの深さＬ１が、位置Ｃから位置Ｄまでの深さよりＬ２も小さく設定されている。
【００３８】
図５（ａ）の閉状態では、枠体９の左右の側壁１５，１５の段部１５ａ，１５ａに上蓋部１２ａ下面が当接して、該上蓋部１２ａにより枠体９の上部開口が覆われ、上蓋部１２ａの上面と枠体９の上面９ｂとは略面一となっている。また、端蓋部１２ｂにより枠体９の端縁部開口が覆われ、端蓋部１２ｂの後面と端縁側垂直面９ｃとは略面一となっている（図５（ｂ）も参照。）。このように、該閉状態では、バックビューがフラットな見えがかりとなっており、意匠性が向上している。
【００３９】
この閉状態では、ピボット体２１の凸部２６は周溝１７内の位置Ａ（図４参照。）にある。この位置では、周溝１７の深さＬ１が比較的大きく設定されている。したがって、前記フランジ部２５による弾性付勢力が比較的小さくなっている。なお、この状態では、周溝Ｌ１の深さを該弾性付勢力が無くなるような深さとしてもよい。凸部２６が周溝１７内の位置Ａにある状態から、図５（ａ）の矢印Ｐのように、蓋体１１の開放端縁１９と反対側の端縁近傍を下方に押せば、凸部２６は凹溝１７内の凸部５１を越えて位置Ｂへ容易に移動する。したがって、小さい操作力で容易に蓋体１１が回動して若干開いた状態となる（図５（ｂ）参照。）。
【００４０】
凸部２６が周溝１７内の位置Ｂにある状態から、例えば図５（ｂ）の蓋体１１の開放端縁１９を持って蓋体１１をさらに開けば、凸部２６は凹溝１７内の凸部５２（凸部５２の上面は側壁１５の外面１５ｂと面一となっているが、該外面１５ｂよりも高くしてもよいし、該外面１５ｂよりも低くしてもよい。）を越えて位置Ｃへ移動する。この位置では、周溝１７の深さＬ２が比較的小さく設定されている。したがって、前記フランジ部２５による弾性付勢力が比較的大きくなっているため、蓋体１１の位置を保持する力が比較的大きくなっている。そして、この状態で、位置Ｄまで同じ操作感で蓋体１１を開くことができる。なお、該操作時には、蓋体１１の回動の中心（軸受孔１６の中心）から操作部である蓋体１１の開放端縁１９までの距離が比較的大きいため、該回動のためのモーメントが大きくなり、比較的小さい操作力で容易に蓋体１１を回動させることができる。
【００４１】
次に、凸部２６が周溝１７内の位置Ｄにある状態から、蓋体１１をさらに開けば、凸部２６は凹溝１７内の凸部５３（凸部５３の上面は側壁１５の外面１５ｂと面一となっているが、該外面１５ｂよりも高くしてもよいし、該外面１５ｂよりも低くしてもよい。）を越えて位置Ｅへ移動する（図６（ａ）参照）。この状態が、蓋体１１を最も開いた（蓋体１１を約９０°開いた）開状態であり、該状態から蓋体１１を閉じる方向で動かすためには、ピボット体２１の凸部２６が凹溝１７内の凸部５３を越える操作力が必要となるため、該開状態に蓋体１１は安定保持される。このように、側面視略Ｌ字状の蓋部を有する蓋体１１を開くという一つの動作により、枠体９の上部開口及び端縁部開口の両開口を開放することができる。
【００４２】
以上のとおり、ピボット体２１と枠体９との間に弾性付勢力が作用するようにすることにより、蓋体１１を、その開閉動作の任意位置で容易に保持可能とすることができる。したがって、操作感を向上することができる。また、運搬時又はレイアウト変更時等において、机の天地を逆にしても蓋体１１が垂れ下がることがなくなり、該蓋体１１の損傷を防止することができるため、信頼性の向上を図ることができる。さらに、ピボット体２１の凸部２６が摺動する枠体９の外面１５ｂの摺動面に周溝１７等の適宜の深さの凹部、又は凸部５１ないし５３等の適宜の高さの凸部を形成すれば、例えば所定位置でクリック感が得られる等、操作感に変化をもたせることができると共に機能性を高めることができる。したがって、カバー装置の付加価値を高めることができる。
【００４３】
次に、蓋体１１の収納について説明する。図６（ａ）の開状態においては、前記のとおり、ピボット体２１のスライド支持部２９は、蓋体１１の回動支持部１３を下方へスライド可能に支持する方向となっている。そして、前記のとおり、蓋体１１は、ピボット体２１，２１に対して、スライド支持部２９，２９をガイドとして、スライドさせることができるため、蓋体１１を枠体９の上面９ｂよりも下側に収納することができる（図６（ｂ）参照。）。したがって、蓋体１１が配線時に天板３上で邪魔になることがないと共に、蓋体１１を紛失することもない。この収納状態では、枠体９の上部開口の一部（前側）が蓋体１１の端蓋部１２ｂにより覆われた半開状態となっている。
【００４４】
ここで、図６（ｂ）の収納状態では、枠体９の左右の側壁１５，１５の段部１５ｃ，１５ｃに蓋体１１の端蓋部１２ｂが当接して、蓋体１１の下方への移動が規制され、端蓋部１２ｂと枠体９の上面９ｂとが略面一となっている。また、側壁１５，１５の段部１５ｃ，１５ｃに係止溝３６，３６を設けて、蓋体１１の端蓋部１２ｂの端蓋部先端３７の係止縁３７ａを係合させるようにしてもよい。なお、蓋体１１の収納は、必ずしも蓋体１１の全部を枠体９の上面９ｂよりも下側に収納せずに、蓋体１１の一部を枠体９の上面９ｂよりも下側に収納するように構成してもよい。
【００４５】
図６（ｂ）の蓋体１１を折り畳まずに落とし込んだ半開状態の収納状態から、例えば図６（ａ）の位置まで蓋体１１を上昇させる場合には、端蓋部１２ｂ（例えば、端蓋部先端３７）を持って引き上げる必要がある。したがって、該引き上げ時に必要な剛性及び強度を確保するために、該端蓋部１２ｂには補強リブ４４を設けている（図２も参照。）。なお、該補強リブ４４は、格子状又は井桁状等、適宜の形態とすることができる
【００４６】
蓋体１１は、前記のとおり、別体の上蓋部１２ａ及び端蓋部１２ｂ間に弾性体であるねじりコイルばねを組み込んで、該弾性体による付勢力によって通常状態において側面視略Ｌ字状となっているが、該付勢力に抗して端蓋部１２ｂを上蓋部１２ａに重なるように折り畳み可能となっている。したがって、このような蓋体１１の折り畳み状態で、図６と同様に蓋体１１を下方へスライドさせて枠体９の上面９ｂよりも下側に収納することができる（図７参照。）。この収納状態では、枠体９の上部開口が全開状態となっている。
【００４７】
ここで、図７の収納状態では、枠体９の左右の側壁１５，１５に設けた段部３８に、折り畳んだ状態の蓋体１１の端蓋部１２ｂの端蓋部先端３７が当接して、蓋体１１の下方への移動が規制され、上蓋部１２ａと枠体９の上面９ｂとが略面一となっている。なお、段部３８の前縁には立起部３８ａが設けられているため、端蓋部１２ｂの前方への移動が規制される。したがって、例えば、図７の収納状態において、蓋体１１の上蓋部１２ａの下部に前方への力が作用しても、蓋体１１が抜け落ちることはない。
【００４８】
以上のように、枠体９の上部開口が前記半開状態又は全開状態となるように蓋体１１を収納することができるため、蓋体１１が配線時に天板３上で邪魔になることがないと共に、蓋体１１を紛失することもない。また、配線量等に応じて前記半開状態又は全開状態の蓋体１１の収納状態を選択し、使用形態に合わせた蓋体の収納状態とすることが容易にできるため、天板３の該コード取出用切欠き６まわりの配線をよりすっきりとした印象とすることができ、機能性及び意匠性の向上を図ることができる。例えば、前記半開状態は、配線コード等の挿通に適している。また、前記全開状態は、大きなコネクタ又はプラグ等の挿通又は枠体９にコンセントボックス１０１を取り付けた状態での使用等に適している。
【００４９】
図２及び図６に示すように、ピボット体２１のスライド支持部２９には、前後方向の凸部３１・・・が先端に形成された押圧片３０・・・が片持ち梁状に設けられている。そして、該スライド支持部２９に外嵌する蓋体１１の回動支持部１３のスライド溝１３ａ内に押圧片３０・・・がある状態では、前記片持ち梁状の押圧片３０・・・が弾性変形して、蓋体１１の回動支持部１３に向かう弾性付勢力が働くため、蓋体１１は前記収納動作の任意位置で保持可能となり、該収納動作時における操作感を向上することができる。
【００５０】
本実施の形態の構成では、図６（ａ）の開状態から図６（ｂ）の収納状態まで蓋体１１を下降させる途中において、蓋体１１の回動支持部１３のスライド溝１３ａ内に押圧片３０がなくなるため、この位置から下では蓋体１１に前記弾性付勢力が働かないようになっている。しかし、本実施の形態と同様の構成により、図６（ａ）の開状態から図６（ｂ）の収納状態まで前記弾性付勢力が働くようにすることもできる。したがって、前記収納動作における蓋体１１の全ての位置において蓋体１１を保持させることもできる。
【００５１】
なお、このように蓋体１１を収納動作の任意位置で保持可能としても、ピボット体２１（スライド支持部２９）は樹脂製であり比較的変形しやすいため、操作性が悪化することはない。また、凸部３１・・・は押圧片３０・・・ではなく、回動支持部１３のスライド溝１３ａに形成してもよい。
【００５２】
以上の説明においては、上蓋部１２ａと端蓋部１２ｂとを別体とする場合について説明したが、上蓋部１２ａと端蓋部１２ｂとを一体としてもよい。
【００５３】
なお、本明細書における「机」には、いわゆるテーブルの概念も含むものである。
【図面の簡単な説明】
【００５４】
【図１】本発明の実施の形態に係る机天板等におけるコード取出用切欠きのカバー装置を装着した机の例を示す上方から見た斜視図である。
【図２】本発明の実施の形態に係るコード取出用切欠きのカバー装置の分解斜視図である。
【図３】同じく要部分解斜視図である。
【図４】ピボット体の凸部と枠体の側壁外面に形成した周溝との関係を示す説明図であり、（ａ）は側面図、（ｂ）は周溝を展開して示す断面図である。
【図５】本発明の実施の形態に係るコード取出用切欠きのカバー装置の縦断側面図であり、（ａ）は蓋体を閉じた閉状態、（ｂ）は蓋体を若干開いた状態を示している。
【図６】同じくカバー装置の縦断側面図であり、（ａ）は蓋体を約９０°開いた開状態、（ｂ）は蓋体を下方へスライドさせた収納状態を示している。
【図７】蓋体を折り畳んで下方へスライドさせた収納状態を示している。
【符号の説明】
【００５５】
１  机
３  天板
６  コード取出用切欠き
７  カバー装置
９  枠体
９ｂ  上面
９ｃ  端縁側垂直面
１１  蓋体
１２ａ  上蓋部
１２ｂ  端蓋部
１２ｃ  ねじりコイルばね
１３  回動支持部
１３ａ  スライド溝
１５  側壁
１５ａ  内面
１５ｂ  外面
１６  軸受孔
１７  周溝
１９  開放端縁
２１  ピボット体
２２  外側ピボット体
２３  内側ピボット体
２４  支軸部
２４ａ  スリット
２４ｂ  凹部
２４ｃ  爪
２４ｄ  段部
２５  フランジ部
２５ａ  当接面
２５ｂ  スリット
２６  凸部
２７  軸部
２７ａ  スリット
２７ｂ  凸部
２７ｃ  爪
２８  フランジ部
２８ａ  当接面
２９  スライド支持部
３０  押圧片
３１  凸部
３９  垂下片
４０，４１  支軸
４０ａ  ばね支軸
５１〜５３  凸部
【図１】
2006149735.tif 000003
【図２】
2006149735.tif 000004
【図３】
2006149735.tif 000005
【図４】
2006149735.tif 000006
【図５】
2006149735.tif 000007
【図６】
2006149735.tif 000008
【図７】
2006149735.tif 000009